(57)【要約】【課題】ユーザの行動をより有益な方法で分析すること。【解決手段】情報処理装置は、ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶し、２つ以上の項目のいずれかを用いて、ラウンドトリップデータを分類する。情報処理装置は、上記分類により、同一カテゴリに分類されたラウンドトリップデータ間の相違に関する情報を出力する。【選択図】図２
2017174112.tif 000002
【特許請求の範囲】
【請求項１】
ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶する記憶手段と、
前記２つ以上の項目のいずれかを用いて、前記ラウンドトリップデータを分類する分類手段と、
前記分類手段により同一カテゴリに分類された前記ラウンドトリップデータ間の相違に関する情報を出力する出力手段と、
を備える情報処理装置。
【請求項２】
前記出力手段は、前記同一カテゴリに分類された前記ラウンドトリップデータ間における、移動目的、移動経路、移動時刻／時間、又は移動距離の少なくともいずれかについての相違に関する情報を出力する、請求項１に記載の情報処理装置。
【請求項３】
前記出力手段により出力される情報は、同一のユーザについての前記ラウンドトリップデータ間の前記項目についての経時変化の情報を含む、請求項１から２のいずれか一項に記載の情報処理装置。
【請求項４】
制御手段を備える情報処理装置において実施される方法であって、
前記制御手段が、ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶手段に記憶することと、
前記制御手段が、前記２つ以上の項目のいずれかを用いて、前記ラウンドトリップデータを分類することと、
前記制御手段が、同一カテゴリに分類された前記ラウンドトリップデータ間の相違に関する情報を出力することと、
を備える情報処理方法。
【請求項５】
コンピュータを、
ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶する記憶手段、
前記２つ以上の項目のいずれかを用いて、前記ラウンドトリップデータを分類する分類手段、
前記分類手段により、同一カテゴリに分類された前記ラウンドトリップデータ間の相違に関する情報を出力する出力手段、
として機能させるためのプログラム。
【発明の詳細な説明】
【技術分野】
【０００１】
本発明は、情報処理の技術に関する。
【背景技術】
【０００２】
従来、携帯端末等の測位情報を用いてユーザの位置や行動を分析する技術が知られている。特許文献１には、携帯端末の測位情報を用いて、測位時刻間の任意の時刻におけるユーザの位置を分析する技術について開示されている。
【先行技術文献】
【特許文献】
【０００３】
【特許文献１】特開２０１３−２５０９９８号公報
【発明の概要】
【発明が解決しようとする課題】
【０００４】
上記の従来技術は、ユーザの行動の分析を可能とするが、行動の変化の分析など、より有益な分析を可能とする技術が必要とされている。
【０００５】
本発明は上記に鑑みてなされたものであり、その目的は、ユーザの行動をより有益な方法で分析する技術を提供することにある。
【課題を解決するための手段】
【０００６】
本発明に係る情報処理装置は、ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶する記憶手段と、前記２つ以上の項目のいずれかを用いて、前記ラウンドトリップデータを分類する分類手段と、前記分類手段により、同一カテゴリに分類された前記ラウンドトリップデータ間の相違に関する情報を出力する出力手段と、を備える。
【０００７】
本発明に係る情報処理方法は、制御手段を備える情報処理装置において実施される方法であって、前記制御手段が、ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶手段に記憶することと、前記制御手段が、前記２つ以上の項目のいずれかを用いて、前記ラウンドトリップデータを分類することと、前記制御手段が、同一カテゴリに分類された前記ラウンドトリップデータ間の相違に関する情報を出力することと、を備える。
【０００８】
本発明に係るプログラムは、コンピュータを、ユーザが行動拠点を出発してから当該行動拠点に戻るまでの移動であるラウンドトリップについての移動目的、移動経路、移動時刻／時間、又は移動距離の少なくともいずれかに関する２つ以上の項目を含むデータであるラウンドトリップデータを記憶する記憶手段、前記２つ以上の項目のいずれかを用いて、前記ラウンドトリップデータを分類する分類手段、前記分類手段により、同一カテゴリに分類された前記ラウンドトリップデータ間の相違に関する情報を出力する出力手段、として機能させるためのプログラム。
【発明の効果】
【０００９】
本発明によれば、ユーザの行動をより有益な方法で分析する技術を提供することができる。
【図面の簡単な説明】
【００１０】
【図１】一実施形態におけるシステムの構成を示す概念図である。
【図２】一実施形態におけるサーバ装置の機能構成を示すブロック図である。
【図３】一実施携帯において記憶部に記憶された情報の例を示す概念図である。
【図４】一実施形態においてサーバ装置で実施される処理を示すフローチャートである。
【発明を実施するための形態】
【００１１】
以下、本発明の実施形態について、図面を参照しつつ詳細に説明する。ただし、発明の範囲をこれらに限定するものではない。
【００１２】
図１を参照して、一実施形態に係る情報通知システムの構成について説明する。情報通知システムは、携帯端末のユーザに情報を通知するためのシステムである。図１に示すように、情報通知システム１は、サーバ装置１０及び複数の携帯端末２０などの情報処理装置を主に備える。サーバ装置１０と複数の携帯端末２０は、ネットワークＮを介して相互に通信することができる。なお、図１では、３つの携帯端末２０が記載されているが、サーバ装置１０と通信可能な携帯端末２０の数は、任意である。
【００１３】
ネットワークＮは、サーバ装置１０と携帯端末２０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１４】
サーバ装置１０は、専用又は汎用のサーバ・コンピュータなどの情報処理装置を用いて実現することができる。なお、サーバ装置１０は、単一の情報処理装置より構成されるものであっても、ネットワーク上に分散した複数の情報処理装置より構成されるものであってもよい。
【００１５】
また、サーバ装置１０は、制御部１１、通信部１４、及び記憶部１５を主に備える。制御部１１は、ＣＰＵ（Ｃｅｎｔｒａｌ  Ｐｒｏｃｅｓｓｉｎｇ  Ｕｎｉｔ）１２及びメモリ１３を主に備えて構成される。サーバ装置１０は、例えば、ＣＰＵ１２がメモリ１３等に格納された所定のプログラムを実行することにより、各種の機能実現手段として機能する。なお、図１には、サーバ装置１０が備える主要な構成が示されているにすぎず、サーバ装置１０は、一般的なサーバ装置が備える他の構成も備える。
【００１６】
制御部１１では、ＣＰＵ１２は、記憶部１５等に記憶されたプログラムをメモリ１３に展開して実行することにより、サーバ装置１０が備える各種構成の動作を制御し、また、各種処理の実行を制御する。制御部１１において実行される処理の詳細は後述する。
【００１７】
通信部１４は、ネットワークＮを介して携帯端末２０等の各種情報処理装置と通信するための通信インタフェースである。通信部１４は、例えば、携帯端末２０からの測位情報を受信する。
【００１８】
記憶部１５は、ハードディスク等の記憶装置によって構成される。記憶部１５は、制御部１１における処理の実行に必要な各種プログラムや各種の情報を記憶する。記憶部１５に記憶されている情報の具体例については後述する。
【００１９】
携帯端末２０は、例えば、携帯電話機、スマートフォン、タブレット端末、ＰＤＡ（Personal Digital Assistants）、ナビゲーション装置、パーソナルコンピュータなどの情報処理端末により構成さる。携帯端末２０は、現在位置を測位した測位情報（少なくとも、携帯端末２０の識別情報、測位時刻、及び測位位置の情報を含む。）を所定時間間隔（又は所定のタイミング）でサーバ装置１０にアップロードする機能や、ユーザにより入力された各種情報／指示をサーバ装置１０にアップロードする機能など、携帯端末が一般的に備える各種の機能を備える。また、携帯端末２０は、図示しないが、主制御部、通信部、表示部、操作部、記憶部、測位処理部などの構成を備える。携帯端末２０におけるこれらの構成の協働により、各種機能が実現される。
【００２０】
図２を参照して、サーバ装置１０の一実施形態に係る機能構成を説明する。サーバ装置１０は、機能構成として、分類部１１１、出力部１１２、及びデータベース１２０を主に備える。これらの機能は、例えば、制御部１１において、ＣＰＵ１２が、記憶部１５等に記憶されたプログラムをメモリ１３に展開して実行することにより実現される。以下に、各機能構成について詳細に説明する。
【００２１】
まず、データベース１２０は、サーバ装置１０において実行される処理に必要な情報、及び当該処理により生成された情報など、各種情報を記憶する。データベース１２０は、例えば、地図情報、測位情報、ユーザ情報、行動拠点情報、ラウンドトリップデータなどを含む各種情報を記憶している。以下にそれぞれについて説明する。
【００２２】
地図情報は、施設情報、道路情報、鉄道路線情報、建造物情報及び住所情報など、地図に関する各種の情報を含む。測位情報は、携帯端末２０を測位することにより得られた情報であり、測位した携帯端末２０の識別情報、測位時刻、及び測位位置の情報を含む。ユーザ情報は、携帯端末２０のユーザについての情報である。
【００２３】
行動拠点情報は、携帯端末２０のユーザの行動拠点についての情報である。行動拠点には、例えば、携帯端末２０のユーザの自宅、勤務地、及びその他の良く行く場所（駅やお店）などが含まれる。また、以下の説明において、行動拠点及びその周辺を含むエリアを行動拠点エリアという。
【００２４】
ここで、本実施形態においてエリアは、緯度経度に基づいて地図を分割することによって得られるものである。エリアの形状やサイズは、仕様や設計に応じて適宜設定することができる。例えば、エリアの形状は、四角形、六角形、ひし形等の多角形や、円等の曲線で囲まれた形状とすることができる。なお、地図を行政区画や他の方法に基づいて分割した領域をエリアとすることもできる。
【００２５】
また、本実施形態において、行動拠点を特定する具体的な処理の例として、まず、携帯端末２０の測位情報に基づいて、ある携帯端末２０のユーザの所定の期間における測位回数、滞在秒数及び滞在日数のうちの少なくとも２つ以上の組合せが、所定の閾値以上である場所を特定する。例えば、特定された場所のうち、滞在日数が最大である場所を自宅として、滞在秒数が最大である場所を勤務地として、その他の場所をその他の良く行く場所としてそれぞれ特定する。なお、行動拠点を特定する方法はこの方法に限定されず、任意の方法を用いることができる。例えば、ユーザからの申告（例えば、Ｗｅｂやメールを介しての登録申請、又はアンケートの提出）等によって得られた自宅や勤務地等の位置の情報に基づいて、行動拠点を設定してもよい。
【００２６】
ラウンドトリップデータとは、携帯端末２０のユーザが自身の行動拠点（例えば、自宅）を出発してから当該行動拠点に戻るまでの移動についてのデータである。本実施形態において、ラウンドトリップデータは、ラウンドトリップについての移動目的、移動経路、移動時刻／時間、又は移動距離の少なくともいずれかに関する２つ以上のデータ項目（属性）を含む。ラウンドトリップデータは、例えば、携帯端末２０の測位情報、ユーザ入力、地図上の施設情報、及び／又は交通ネットワーク情報に基づいて設定することができる。
【００２７】
図３を参照して、データベース１２０に記憶されたラウンドトリップデータの例を説明する。同図に示す例では、ラウンドトリップデータは、データ項目として、ラウンドトリップデータＩＤ、ユーザＩＤ、移動目的、宿泊有無、移動経路、移動距離、移動手段、出発時刻、到着時刻、移動時間、滞在場所、滞在場所ジャンル、及び滞在時間帯を含む。
【００２８】
ラウンドトリップデータＩＤはラウンドトリップデータの識別情報である。ユーザＩＤは、携帯端末２０のユーザの識別情報である。移動目的は、そのラウンドトリップの主目的である。例えば、移動目的の具体的な値として、ショッピング、出張、又は観光などを含む。移動目的は、任意の方法で設定することができるが、例えば、そのラウンドトリップ中における滞在場所の滞在時間の長さ、滞在場所のジャンル、及び行動拠点から滞在場所までの距離などに基づいて設定される。具体的な例として、あるラウンドトリップにおいて、滞在時間の長さが所定時間以上である滞在場所のうち、行動拠点から滞在場所までの距離が最も遠い滞在場所のジャンルがショッピングセンターであった場合、当該ラウンドトリップの移動目的をショッピングとすることができる。
【００２９】
宿泊有無は、そのラウンドトリップにおいてユーザが宿泊したか否かを示す情報である。宿泊有無は、任意の方法で設定することができる。例えば、ラウンドトリップにおいて、所定の時間帯（例えば、午前１：００から午前４：００）において、ユーザが移動していなかったことが測位情報から把握される場合、そのラウンドトリップは、宿泊有と設定し、当該時間帯にユーザが移動したことが測位情報から把握される場合、宿泊無と設定することができる。
【００３０】
移動経路は、そのラウンドトリップにおける移動で用いられた経路についての情報である。移動経路は、携帯端末２０の測位情報と地図上の経路とをマッチングすることにより特定される。移動経路の情報は、ラウンドトリップの全体の移動において通過した経路を示す情報であっても良いし、一部の移動において通過した経路を示す情報であっても良い。一部の移動において通過した経路を示す情報は、例えば、通過した一般道路、高速道路、鉄道路線、空路、又は海路の識別情報を含む。
【００３１】
移動距離は、そのラウンドトリップによりユーザが移動した距離の情報である。移動手段は、そのラウンドトリップにおいて用いられた一つ又は複数の移動手段についての情報である。出発時刻及び到着時刻は、移動時刻に関する項目である。出発時刻は、そのラウンドトリップにおいてユーザが行動拠点を出発した時刻の情報である。到着時刻は、そのラウンドトリップにおいてユーザが行動拠点を出発してから、当該行動拠点に到着した時刻の情報である。移動時間は、そのラウンドトリップにおいてユーザが行動拠点を出発してから当該行動拠点に到着するまでの時間の情報である。なお、移動距離、出発時刻及び到着時刻の情報は、例えば、携帯端末２０の測位情報に基づいて設定される。移動手段の情報は、例えば、携帯端末２０の測位情報に基づいて特定される移動速度及び移動経路に基づいて、又はユーザ入力等に基づいて特定される。
【００３２】
滞在場所は、そのラウンドトリップにおいてユーザが滞在した場所の情報である。なお、本実施形態において、滞在場所は、移動中に単に通過した場所を含まず、例えば、所定時間以上滞留した場所と定義することができる。滞在場所ジャンルは、滞在場所のジャンルの情報であり、具体的な値として、例えば、ショッピングセンター、ホテル、又はアミューズメントパーク（遊園地）などを含む。滞在時間帯は、その滞在場所に滞在した時間帯の情報である。なお、１つのラウンドトリップに複数の滞在場所が含まれる場合、それぞれの場所について、滞在場所、滞在場所ジャンル、及び滞在時間帯の情報をデータベース１２０に記憶することができる。滞在場所及び滞在場所ジャンルの情報は、例えば、測位情報及び地図情報（施設情報）に基づいて特定される。
【００３３】
図２の説明に戻る。分類部１１１は、データベース１２０に記憶されたラウンドトリップデータに含まれるいずれかのデータ項目を用いて、当該ラウンドトリップデータを分類する。
【００３４】
例えば、分類部１１１は、データベース１２０を参照して、移動目的が共通するラウンドトリップデータが同じカテゴリに属するように、滞在場所が共通するラウンドトリップデータが同じカテゴリに属するように、滞在場所ジャンルが共通するラウンドトリップデータが同じカテゴリに属するように、又は宿泊有無が共通するラウンドトリップデータが同じカテゴリに属するように、分類を行うことができる。なお、上記の例では、１つのデータ項目を用いて分類を行っているが、複数のデータ項目を用いて分類を行うこともできる。例えば、分類部１１１は、ラウンドトリップについての前述の移動目的、移動経路、移動時刻／時間、又は移動距離の少なくともいずれかに関する２つ以上のデータ項目のいずれかを用いてラウンドトリップデータを分類することができる。
【００３５】
出力部１１２は、分類部１１１により同一カテゴリに分類されたラウンドトリップデータについて、ラウンドトリップデータ間の相違に関する情報を出力する。相違に関する情報は、ラウンドトリップデータに含まれるデータ項目に関する相違の情報を含む。従って、出力部１１２は、同一カテゴリに分類されたラウンドトリップデータ間における、移動目的、移動経路、移動時刻／時間、又は移動距離の少なくともいずれかについての相違に関する情報を出力することができる。
【００３６】
例えば、分類部１１１により滞在場所が共通するラウンドトリップデータが同じカテゴリに属するように分類されたとする。このとき、出力部１１２は、同じカテゴリに属する（すなわち、滞在場所が共通する）ラウンドトリップデータについて、移動目的、移動経路、移動時刻／時間、又は移動距離の少なくともいずれかについての相違に関する情報を出力することができる。このような相違に関する情報には、例えば、ある場所（例えば、名古屋）に滞在した人が、どのような目的で（例えば、出張又は観光で）、どのような経路（例えば、東名高速又は新東名高速）を通過して、自宅からどのぐらいの時間をかけてその場所に来たかについての統計情報が含まれる。
【００３７】
また、例えば、分類部１１１により移動目的が共通するラウンドトリップデータが同じカテゴリに属するように分類されたとする。このとき、出力部１１２は、同じカテゴリに属する（例えば、移動目的がショッピングである）ラウンドトリップデータについて、滞在場所の相違（例えば、どの店でショッピングをしたか）についての情報（統計情報）を出力することができる。
【００３８】
また、出力部１１２は、同一カテゴリに分類されたラウンドトリップデータ間における相違に関する経時変化（経年変化）の情報を出力することができる。例えば、滞在場所が共通するラウンドトリップデータについて、出力部１１２は、第１の期間におけるラウンドトリップデータ間における相違（例えば、２０１４年９月の期間において、滞在場所までの移動に用いられた移動手段又は移動経路のそれぞれの比率）と、第２の期間におけるラウンドトリップデータ間における相違（例えば、２０１４年１０月の期間において、滞在場所までの移動に用いられた移動手段又は移動経路のそれぞれの比率）との間の変化についての情報を出力することができる。
【００３９】
さらに、出力部１１２による同一カテゴリに分類されたラウンドトリップデータ間における相違に関する経時変化の情報の出力は、同一のユーザについてのラウンドトリップデータのデータ項目についての経時変化の情報の出力を含むことができる。このような出力情報には、例えば、ある移動目的（例えば、通勤）のラウンドトリップにおける出発時刻及び到着時刻（例えば、通勤における出勤時間及び帰宅時間）の経時変化（経年変化）の情報が含まれる。
【００４０】
以上のように本実施形態によれば、分類部１１１は、データベース１２０に記憶されたラウンドトリップデータに含まれるいずれかのデータ項目を用いて、当該ラウンドトリップデータを分類する。その後、出力部１１２は、分類部１１１により同一カテゴリに分類されたラウンドトリップデータ間の相違に関する情報を出力する。すなわち、本実施形態では、分類され同一カテゴリに属するラウンドトリップ間の相違を分析するため、ユーザによる複数の移動のうち、同様の移動間の相違についての情報を得ることができる。その結果、本実施形態によれば、例えば測位情報から一次的に特定されるユーザの滞在場所等に基づいてユーザの行動を単に分析するような方法と比較して、ユーザの行動をより有益な方法で分析することができる。すなわち、上述したとおり、本実施形態によれば、例えば、滞在場所が共通するラウンドトリップにおいて利用された経路の変化、及び移動目的が共通するラウンドトリップにおける滞在場所の変化など、同一カテゴリに属する行動の変化を検出することができる。
【００４１】
次に、図４を参照して、サーバ装置１０において実行される処理のフローの例を説明する。この処理は、例えば、制御部１１において、ＣＰＵ１２が、記憶部１５等に記憶されたプログラムをメモリ１３に展開して実行することにより実現される。なお、以下に説明する処理フローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。各ステップにおける処理の詳細は既に説明したため、ここでは省略する。
【００４２】
まず、ステップＳ１１において、制御部１１は、ラウンドトリップデータを記憶部１５に記憶する。ラウンドトリップデータは、携帯端末２０の測位情報等に基づいてサーバ装置１０において生成されても良いし、外部装置から取得されても良い。
【００４３】
ステップＳ１２において、制御部１１は、記憶部１５に記憶されたラウンドトリップデータに含まれるいずれかのデータ項目を用いて、当該ラウンドトリップデータを分類する。ラウンドトリップデータの分類方法は既に説明したとおりである。
【００４４】
ステップＳ１３において、制御部１１は、ステップＳ１２において同一カテゴリに分類されたラウンドトリップデータについて、ラウンドトリップデータ間の相違に関する情報を出力する。
【００４５】
以上のように本実施形態によれば、同一カテゴリに属するラウンドトリップ間の相違を分析するため、ユーザによる複数の移動のうち、同様の移動間の相違についての情報を得ることができる。その結果、本実施形態によれば、例えば測位情報から一次的に特定されるユーザの滞在場所等に基づいてユーザの行動を単に分析するような方法と比較して、ユーザの行動をより有益な方法で分析することができる。
【００４６】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【００４７】
例えば、分類部１１１は、カテゴリごとに分類したラウンドトリップデータをさらにサブカテゴリに分類し、出力部１１２は、ラウンドトリップデータについて、サブカテゴリ間の相違の情報を出力できるようにしても良い。
【００４８】
また、カテゴリごとに分類したラウンドトリップデータをサブカテゴリに分類するために、ラウンドトリップデータが有する上記のデータ項目の一部を用いたり、重みづけられたデータ項目を用いることができる。例えば、滞在場所が共通するカテゴリに属するラウンドトリップデータについては、移動手段及び／又は移動経路に高い重み付けをして、ラウンドトリップデータをサブカテゴリに分類することができる。また、移動目的又は滞在場所ジャンルが共通するカテゴリに属するラウンドトリップデータについては、滞在場所に高い重み付けをして、ラウンドトリップデータをサブカテゴリに分類することができる。
【００４９】
また、本実施形態における処理を実行するためのプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００５０】
また、上記の実施形態においては、同一カテゴリに分類されたラウンドトリップデータについて、ラウンドトリップデータ間における、移動目的、移動経路、移動時刻／時間、又は移動距離の少なくともいずれかについての相違に関する情報を出力するようにしている。しかし、同一カテゴリに分類されたラウンドトリップデータについて、ラウンドトリップデータ間における、移動目的、移動経路、移動時刻／時間、又は移動距離の少なくともいずれかについての共通の項目に関する情報を出力するようにしても良い。このような共通の項目に関する情報には、例えば、ある同一の場所（例えば、名古屋）に滞在した人々の中で、ある共通の目的（例えば、出張）でその場所に来たのがどの程度の割合で、別のある共通の目的（例えば、観光）でその場所に来たのがどの程度の割合なのかについての統計情報などが含まれる。また、ある同一の場所（例えば、名古屋）に滞在した人々の中で、ある共通の経路（例えば、東名高速）でその場所に来たのがどの程度の割合で、別のある共通の経路（新東名高速）でその場所に来たのがどの程度の割合なのかについての統計情報などが含まれる。
【００５１】
また、同一カテゴリに分類されたラウンドトリップデータについて、ラウンドトリップデータ間における、移動目的、移動経路、移動時刻／時間、又は移動距離の少なくともいずれかについての相違に関する情報と、共通の項目に関する情報と、の少なくともも一方の情報を出力するようにしても良い。
【符号の説明】
【００５２】
１  情報通知システム、１０  サーバ装置、１１  制御部、１２  ＣＰＵ、１３  メモリ、１４  通信部、１５  記憶部、２０  携帯端末
【図１】
2017174112.tif 000003
【図２】
2017174112.tif 000004
【図３】
2017174112.tif 000005
【図４】
2017174112.tif 000006